(57)【要約】    【課題】水深が浅い水路等で消防用水を吸引することができる消防用吸水具を提供すること。    【解決手段】消防用水を吸水する際に吸水管１９の先端に装着される吸水具１０であって、側部１１ｂに、吸水管１９に接続される吸水管接続部１３を備え、下面が開口した水溜用の箱体１１と、箱体１１内に配置され、吸水管接続部１３に開口端側が接続されたストレーナ１４と、箱体１１の下端部に設けられた少なくとも３本の脚部１２とを含んで構成されている。吸水具１０によれば、箱体１１の内部が水で満たされ、見かけ上、箱体１１の内部高さと同等の水深が得られるので、水深の浅い水路であっても、安定して消火用水を確保することができる。【選択図】図２
0003109034.tif 000002
【実用新案登録請求の範囲】
【請求項１】
消防用水を吸水する際に吸水管の先端に装着される吸水具であって、
側部に、前記吸水管に接続される吸水管接続部を備え、下面が開口した水溜用の箱体と、
該箱体内に配置され、前記吸水管接続部に開口端側が接続されたストレーナと、
前記箱体の下端部に設けられた少なくとも３本の脚部とを含んで構成されていることを特徴とする消防用吸水具。
【請求項２】
さらに、少なくとも３枚のパネルで構成された折り畳み式の集水用パネルを備え、
前記パネルのうちの１枚が、前記箱体の幅とほぼ同じで、前記吸水管接続部の中心軸とほぼ直角に、前記吸水管接続部が設けられた前記側部に固定されたパネルであり、
該固定されたパネルの両側にその他のパネルが折り畳み自在に取り付けられ、
前記少なくとも３枚のパネルの下端が、前記脚部の下端とほぼ同じレベルであることを特徴とする請求項１記載の消防用吸水具。
【請求項３】
前記固定されたパネルと、前記吸水管接続部が設けられた前記側部との間に、所定の間隔が設けられていることを特徴とする請求項２又は請求項３記載の消防用吸水具。
【請求項４】
前記箱体の内側上部と、前記吸水管接続部の内側上部との間を接続する排気路を備えていることを特徴とする請求項１〜３のいずれかの項に記載の消防用吸水具。
【考案の詳細な説明】
【技術分野】
【０００１】
本考案は、消防用水を吸い上げるための吸水管の先端に装着される消防用吸水具に関し、特に水深の浅い農業用水路、排水路などから消防用水を吸水するのに適した消防用吸水具に関する。
【背景技術】
【０００２】
消防車による消火作業の際には、消防ポンプ車は、通常、消火栓、消防用貯水槽、河川などから取水して、その水を消火に利用する。河川などの水を利用する場合、水深が深ければ、吸水管の先端部の吸水部が十分水中に没するので、吸水に支障を来すことがない。しかし、用水路などを流れる用水を利用する場合、水深が浅いために吸水できないことがある。一般に、吸水管の先端部には、ごみなどの異物が吸い込まれないように、底付きの円筒状で壁部に多数の孔が形成された、径が８０〜１２０ｍｍ程度のストレーナ（図２参照）が装着され、ストレーナを介して用水が吸い上げられる。したがって、少なくともストレーナの径以上の水深がなければ、ポンプ車で水を吸引することは困難である。
【０００３】
水深が浅い水利としては、上記のように水深の浅い河川のほか、農業用水路の水、自然水の排水溝などの水路の水の利用がある。これらの水路の水も消防用水として利用できる可能性がある。しかし、これらの水路は一般に水深が浅く、数センチメートルの場合がほとんどである。さらに、底部がコンクリートで固められているために、水路の底を掘って水溜部を作ることができないことが多いといった理由などから、通常は消防用水として利用できていない。これらの水路の水を消防用水として利用することができれば、消防用水として取水できるエリアが大幅に広がる。このような水深の浅い水路から、消防用水を吸い上げることを目的として、いくつかの案が提案されている（特許文献１、２）。
【０００４】
図７は、特許文献１に開示されているストレーナを含む吸水具を示す斜視図である。特許文献１に開示されている吸水具は、多数の吸水孔１０３が配列された扁平なリング状のストレーナ部１０２と、その上面を塞ぐ天井板１０４及び下面を塞ぐ底板１０５とを備え、天井板１０４に吸水管に接続される接続管１０６が取り付けられている。
【０００５】
図８は、特許文献２に開示されている吸水具を示す断面図である。特許文献２に開示されている吸水具は、図８に示したように、吸水部１１１の先端側がすり鉢型に開いた形状をしており、吸水部１１１の下端部に脚１１２が設けられ、隣り合う脚１１２の間に形成された開口部１１３から水が吸い込まれるようになっている。吸い込まれた水は、すり鉢型の吸水部１１１の中央部に取り付けられた接続管１１６を介して吸引される。なお、異物除去用のストレーナ部は符号１１５で示されている。
【０００６】
特許文献１及び２に示されている従来の吸水具は、いずれも、吸水孔１０３又は吸水用の開口部１１３が位置する領域の高さを低く設定することにより、水深が浅い場合でも、吸水できるように考慮されている。一方、消防ポンプ車による吸水量は、１分間に０．５〜１ｍ３程度であり、吸水量が極めて多い。そのため、吸水孔１０３又は吸水用の開口部１１３近傍の水が激しく吸引されて水面が低くなり、空気が巻き込まれやすく、十分な吸水を行うことができないことが多い。さらに、水路に流れる水には波打ち現象があり、水深が浅い場合には水位の変動率が特に激しい。このような理由により、上記した従来の吸水具では、安定した吸水を行いにくいという欠点がある。
【０００７】
また、消防用ポンプ車による吸水では、吸水孔１０３又は吸水用の開口部１１３を通る水の流速が極めて速くなり、例えば、吸水具の円周方向の各位置で吸水量にばらつきが生じ、吸水具が動いてしまい、位置が安定しにくいという問題点が生じる。吸水具の位置を安定させるためには、吸水具の上に重量物を乗せて固定する必要がある。しかし、特許文献１及び２に開示されている吸水具の場合には、いずれも吸水具の上部に吸水管の接続部が設けられた構造となっているので、重量物を乗せて固定することが難しいという欠点がある。
【特許文献１】実開平６−４８８０７号公報
【特許文献２】特開平１１−１０４２５８号公報
【考案の開示】
【課題を解決するための手段及び効果】
【０００８】
本考案は、上記問題点に鑑みてなされたものであって、水深が浅い水路等においても消防用水を安定的に吸引することができる消防用吸水具を提供することを目的としている。
【０００９】
上記課題を解決するために、本考案に係る消防用吸水具（１）は、消防用水を吸水する際に吸水管の先端に装着される吸水具であって、側部に、前記吸水管に接続される吸水管接続部を備え、下面が開口した水溜用の箱体と、該箱体内に配置され、前記吸水管接続部に開口端側が接続されたストレーナと、前記箱体の下端部に設けられた少なくとも３本の脚部とを含んで構成されていることを特徴としている。
【００１０】
上記本考案に係る消防用吸水具（１）によれば、下面が開口し下端部に少なくとも３本の脚部を備えた水溜用の箱体と、箱体の側部に設けられた吸水管接続部とを含んで構成されているので、ポンプによって箱体の内部が減圧され、脚部間の開口部から吸い込まれた水によって箱体の内部が満たされる。脚部の高さは任意に選択することが可能であり、数センチメートル程度とすることができるので、水深が浅い水路の水であっても、箱体が水溜としての機能を発揮し、見かけ上、箱体の内部の高さに等しい水深を確保することができることになる。また、箱体の上部に土嚢などの重量物を乗せることができるので、吸水具を安定して水路に固定することができる。したがって、上記消防用吸水具（１）によれば、水深の浅い農業用水路、排水路などの用水であっても、安定した吸水量の消火用水を確保することができる。
【００１１】
また、本考案に係る消防用吸水具（２）は、上記消防用吸水具（１）において、さらに、少なくとも３枚のパネルで構成された折り畳み式の集水用パネルを備え、前記パネルのうちの１枚が、前記箱体の幅とほぼ同じで、前記吸水管接続部の中心軸とほぼ直角に、前記吸水管接続部が設けられた前記側部に固定されたパネルであり、該固定されたパネルの両側にその他のパネルが折り畳み自在に取り付けられ、前記少なくとも３枚のパネルの下端が、前記脚部の下端とほぼ同じレベルであることを特徴としている。
【００１２】
上記本考案に係る消防用吸水具（２）によれば、水路の上流側に向けて少なくとも３枚のパネルを広げることにより、広い範囲で流れてくる水を堰き止めることができる。そのために、吸水具の周囲の水位を深くすることができるので、水深が浅い水路であっても、より安定した吸水を行うことができる。また、パネルが折り畳み式であり、コンパクトに収納可能であるので、消防ポンプ車に常時積載しておくのに適している。
【００１３】
また、本考案に係る消防用吸水具（３）は、上記消防用吸水具（１）又は（２）において、前記固定されたパネルと、前記吸水管接続部が設けられた前記側部との間に、所定の間隔が設けられていることを特徴としている。
【００１４】
上記本考案に係る消防用吸水具（３）によれば、固定されたパネルと、吸水管接続部が設けられた箱体の側部との間に、所定の間隔が設けられているので、その隙間に堰き止められた水が溜まり、その水溜まり部が、吸水管接続部側の下部から空気が吸い込まれるのを防止する働きをする。そのために、用水が箱体内に安定して吸い込まれ、より安定した吸水を行うことができる。
【００１５】
また、本考案に係る消防用吸水具（４）は、上記消防用吸水具（１）〜（３）のいずれかにおいて、前記箱体の内側上部と、前記吸水管接続部の内側上部との間を接続する排気路を備えていることを特徴としている。
【００１６】
上記本考案に係る消防用吸水具（４）によれば、箱体の内側上部と、吸水管接続部の内側上部との間を接続する排気路を備えているので、たとえ、箱体内部の天井部近傍に当初は空気が存在していたとしても、吸水が始まれば箱体内から直ちに空気を排出することができる。特に、吸水開始直後の箱体内に残留する空気や吸水中に巻き込まれる空気を即座に排出することにより、絶えず十分な吸水量を確保することができるという優れた効果が得られる。
【考案を実施するための最良の形態】
【００１７】
以下、図面を参照し、本考案の実施の形態に係る消防用吸水具を詳細に説明する。
図１は、実施の形態１に係る消防用吸水具１０の斜め上方からの外観を示す斜視図であり、図２は、図１に示した消防用吸水具１０を上下逆にして内部の状態を示す部分断面斜視図である。また、図３は、図１に示した切断線III−III’で切断した面における断面図である。
【００１８】
消防用吸水具１０は、箱体１１、箱体１１の下端部１１ａから突出している脚部１２、箱体１１の側面１１ｂに取り付けられた吸水管接続部１３及び吸水管接続部１３に着脱可能に装着されたストレーナ１４を含んで構成されている。
【００１９】
箱体１１は、吸水を行う際の水溜部に相当する役割をするもので、下部の水没する部分以外は、ほぼ気密な容器となっている。消防用吸水具１０の箱体１１は、縦方向の４本の補強部材１５ａ、１５ｂ、１５ｃ、１５ｄと横方向の４本の補強部材１６ａ（他の３本は隠れている）によって構成された骨組みに、４枚の側板１１ｂ、１１ｃ、１１ｄ、１１ｅ及び１枚の天井板１１ｆが接合された構成となっている。箱体１１の側板１１ｂ、１１ｃ、１１ｄ、１１ｅ及び１枚の天井板１１ｆで囲まれた部分は、吸水に支障が生じない程度にほぼ気密であり、後述する箱体１１の下部の開口部１８以外からは箱体１１内に空気が侵入しないようになっている。
【００２０】
脚部１２は、側板１１ｃ、１１ｄ、１１ｅの下端部から突出した部分であり、消防用吸水具１０の場合には、補強部材１５ａ、１５ｂ、１５ｃ、１５ｄの一部によって、脚部１２が構成されている。脚部１２を下にして箱体１１を水平面に置くと（図１に示した状態）、隣り合う脚部１２と側板１１ｃ、１１ｄ、１１ｅの下端部との間に３つの吸水用の開口部１８が形成され、吸水される際には、この開口部１８が吸水口となる。なお、側板１１ｂの下端部には、吸水時に空気が吸い込まれるのを防止するために、開口部を設けない方がよい。
【００２１】
脚部１２の高さは、吸水する水路の深さより低い方がいいので、１５〜５０ｍｍ程度とするのがよく、１５〜３０ｍｍ程度とすることがより好ましい。なお、脚部１２に関しては、ねじ止めなどにより、水路の水深に合わせて高さを調節することができるように構成されていることが好ましい。
【００２２】
側板１１ｂ、１１ｃ、１１ｄ、１１ｅのうちの１枚（側板１１ｂ）にストレーナ１４と吸水管１９とを接続する吸水管接続部１３が設けられており、吸水管接続部１３の箱体１１内側には、ストレーナ１４がねじ込みなどの方法で取り付けられ、吸水管１９側（箱体１１の外側）には、吸水管１９と接続される雄金具１３ａが取り付けられている。
【００２３】
図３に示したように、箱体１１の天井部と吸水管接続部１３の内側上部との間を結ぶ排気路１が設けられている。排気路１は、吸水の際に、箱体１１の内側上部に残った空気や、吸水中に開口部１８から巻き込まれた空気を排出する作用を持っている。吸水中に箱体１１の内部に空気が残っているとその面からは水が吸引されない。特に、吸水用の開口部１８から吸水中に空気が巻き込まれ、箱体１１の天井部に集まりやすいので、常に天井部近傍の空気を排出することにより、吸水量をより多くすることができるという優れた効果が得られる。
なお、排気路１は、ゴム、シリコンゴム、ビニールなどのチューブで構成することができる。
【００２４】
ストレーナ１４は、従来使用されている一般的な合成樹脂製などのものでよく、吸水管接続部１３への接続部以外の部分には、吸水用の孔１４ａが設けられている。また、ストレーナ１４と吸水管接続部１３との間には、通常吸水用の孔１４ａより目の細かい金網１４ｂが取り付けられている。
【００２５】
吸水具１０によって、水路から吸水を行う場合には、吸水具１０を下向き（図１に示した状態）にして水路に設置し、吸水管接続部１３の雄金具１３ａに、吸水管１９の雌金具１３ｂを接続して、消防ポンプ車によって吸水する。その際、吸水具１０の上、すなわち天井板１１ｆの上にコンクリートブロック、土嚢などの重量物を乗せることにより、吸水の際に吸水具１０の位置が動かないようにするのがよい。
【００２６】
図１〜図３には、箱体１１が、縦方向の４本の補強部材１５ａ、１５ｂ、１５ｃ、１５ｄと横方向の４本の補強部材１６ａ（他の３本は隠れている）によって構成された骨組みに、４枚の側板１１ｂ、１１ｃ、１１ｄ、１１ｅ及び１枚の天井板１１ｆが接合されて構成された例を示した。ただし、箱体１１は、下端部に吸水用の開口部１８が形成され、内部にストレーナ１４を装着することができ、水没する下部以外は気密という条件を備えていればいいので、箱体１１は、上記の構成に限定されない。特に箱体１１の形状は角型には限定されない。側部に吸水管接続部１３を設けることができれば、丸型でも楕円型でもよい。また、縦方向の補強部材１５ａ、１５ｂ、１５ｃ、１５ｄ、横方向の４本の補強部材１６ａなどを用いない構造としてもよく、例えば、脚部１２を含む箱体１１を鋳造、プレス成形等により、金属製の一体型として形成してもよい。さらに、３〜７ｍｍ程度の厚みの鋼板を溶接などにより接合して箱体１１を形成してもよい。
【００２７】
また、脚部１２は、４本の例を示したが、開口部１８が確保されれば良いので、３本であってもよい。さらに、５本以上であっても差し支えない。脚部１２の本数は、箱体１１の形状、適用する水路の底部の状態などに合わせて決定されることが好ましい。
【００２８】
さらに、箱体１１の下部の吸水用の開口部１８を含む開口部全体を覆う異物吸い込み防止用の網状のカバー（図示省略）を設けても良い。網状のカバーを設けることによって、ストレーナ１４の目詰まりをより効果的に防止することができる。
【００２９】
図４は、実施の形態２に係る消防用吸水具２０の外観を示す斜視図であり、図５は、図４に示した消防用吸水具２０に装着されている集水用パネルを示す正面図である。
図４に示した消防用吸水具２０は、実施の形態１に係る消防用吸水具１０と図５に示した集水用パネルとを組み合わせたものである。図４、図５に示したように、集水用パネル２１は、吸水管接続部１３が設けられている側板１１ｂとの間に所定の間隔（ギャップＧ）を設けて固定されたパネル（固定パネル）２２と、固定パネル２２の両側に蝶番２５などで開閉自在に取り付けられた開閉パネル２３、２４とで構成されている。固定パネル２２は、その幅が箱体１１の幅にほぼ等しく、吸水管接続部１３の中心軸とほぼ直角の向きに取り付けられている。また、開閉パネル２３、２４を折り畳むと箱体１１の側板１１ｃ、１１ｅに沿って収まるようになっている。
【００３０】
また、固定パネル２２、開閉パネル２３、２４は、それらの下端部２２ａ、２３ａ、２４ａが、脚部１２の下端部とほぼ同じレベルになるように取り付けられている。すなわち、消防用吸水具２０を水路に設置した場合に、固定パネル２２、開閉パネル２３、２４の下端部２２ａ、２３ａ、２４ａが水路の底に位置するようになっている。
【００３１】
消防用吸水具２０を用いて吸水を行う場合には、消防用吸水具２０をロープ等で吊し、吸水管接続部１３が水路の下流側に向くように水路の底に設置し、消防用吸水具２０の上に重量物を乗せて固定した後、水路の上流側に向けて開閉パネル２３、２４を開く。開閉パネル２３、２４を開くことによって、水路の水が堰き止められるので、水位が増し水深が浅い場合であっても効率よく吸水することができる。なお、集水効果を高くするために、固定パネル２２と開閉パネル２３、２４とが、１８０度以上開かないようにする。水路が狭い場合には、水路の側壁に開閉パネル２３、２４の先端部２３ｂ、２４ｂが当たってそれ以上開かないようになる。水路の幅が、固定パネル２２と開閉パネル２３、２４を１８０度に開いた幅より広い場合には、開閉パネル２３、２４の後側（下流側）に、コンクリートブロックなどを置いて、開閉パネル２３、２４がそれぞれ９０度以上開かないようにするのがよい。
【００３２】
固定パネル２２と開閉パネル２３、２４の高さは、特に限定されないが、取り扱い及び集水に必要な水深などの関係から、消防用吸水具２０の高さ以内とするのがよい。また、開閉パネル２３、２４の長さは、長い方が集水効果を高めることができるが、消防用吸水具２０の収納上、箱体１１からはみ出さない長さとするのがよい。
【００３３】
固定パネル２２と側板１１ｂとの間には、所定の間隔のギャップＧを設けることが好ましい。ギャップＧを設けることによって、ギャップ部に水溜まりが形成され、吸水時に側板１１の下部からの空気の吸い込みが防止される。そのため、用水を安定して吸引することができる。なお、図１及び図２に示したように、側板１１ｂとの間にギャップＧを介して固定パネル２２のみを取り付けてもよく、その場合にも、上記のように空気の吸い込みを防止する効果が得られる。
【００３４】
図６は、実施の形態３に係る消防用吸水具３０の外観を示す斜視図である。消防用吸水具３０は、吸水管接続部３１が、約９０度の角度で曲がったエルボ３２を備えており、吸水管１９（図２参照）との接続部の雄金具１３ａが上向きに取り付けられている。なお、箱体１０との接続部は、側板１１ｂ側に固定された雄金具１１ａとエルボ３２側に取り付けられた雌金具１３ｂとにより、エルボ３２を着脱可能に構成するのがよい。そのような構成とすることにより、必要な場合にのみエルボ３２を利用することができる。
消防用吸水具３０は、消防用吸水具３０を設置する水路の開口箇所の縦と横方向の幅が狭く、吸水管１９を横に這わせにくい場合に好適である。
【図面の簡単な説明】
【００３５】
【図１】実施の形態１に係る消防用吸水具の斜め上方からの外観を示す斜視図である。
【図２】図１に示した消防用吸水具を上下逆にして内部の状態を示す部分断面斜視図である。
【図３】図１に示した切断線III−III’で切断した面における断面図である。
【図４】実施の形態２に係る消防用吸水具の外観を示す斜視図である。
【図５】図４に示した消防用吸水具に装着されている集水用パネルを示す正面図である。
【図６】実施の形態３に係る消防用吸水具の外観を示す斜視図である。
【図７】特許文献１に開示されている従来の吸水具を示す斜視図である。
【図８】特許文献２に開示されている従来の吸水具を示す断面図である。
【符号の説明】
【００３６】
１０、２０、３０  吸水具
１１        箱体
１２        脚部
１３        吸水管接続部
１４        ストレーナ部
１９        吸水管
２１        集水用パネル
３２        エルボ
【図１】
0003109034.tif 000003
【図２】
0003109034.tif 000004
【図３】
0003109034.tif 000005
【図４】
0003109034.tif 000006
【図５】
0003109034.tif 000007
【図６】
0003109034.tif 000008
【図７】
0003109034.tif 000009
【図８】
0003109034.tif 000010
【手続補正書】
【提出日】平成16年11月11日(2004.11.11)
【手続補正１】
【補正対象書類名】実用新案登録請求の範囲
【補正対象項目名】請求項３
【補正方法】変更
【補正の内容】
【請求項３】
前記固定されたパネルと、前記吸水管接続部が設けられた前記側部との間に、所定の間隔が設けられていることを特徴とする請求項１又は請求項２記載の消防用吸水具。
【手続補正書】
【提出日】平成17年2月8日(2005.2.8)
【手続補正１】
【補正対象書類名】実用新案登録請求の範囲
【補正対象項目名】請求項３
【補正方法】変更
【補正の内容】
【請求項３】
前記固定されたパネルと、前記吸水管接続部が設けられた前記側部との間に、所定の間隔が設けられていることを特徴とする請求項２記載の消防用吸水具。